(57)【特許請求の範囲】
【請求項１】
室内を、該室内の天井面から下方に突出した複数の垂れ壁によっていくつかの区画に仕切るようにした防煙区画構造において、
前記垂れ壁の突出量を変更する変更手段と、
前記複数の垂れ壁のうち、１つの垂れ壁の突出量が他の垂れ壁の少なくとも１つの垂れ壁の突出量と異なるようにした、前記複数の垂れ壁のそれぞれの突出状態の組み合わせと、出火区画との関係をあらかじめ設定する設定手段と、
前記設定手段により設定された関係に応じて実際の出火区画に対応した垂れ壁の突出量の遠隔制御を行なう制御手段と、
を備えたことを特徴とする防煙区画構造。
【請求項２】
突出量可変の複数の垂れ壁の制御方法であって、
前記複数の垂れ壁のうち、１つの垂れ壁の突出量が他の垂れ壁の少なくとも１つの垂れ壁の突出量と異なるようにした、前記複数の垂れ壁のそれぞれの突出状態の組み合わせと、出火区画との関係をあらかじめ設定する第１ステップと、
前記第１ステップにより設定された関係に応じて実際の出火区画に対応した垂れ壁の突出量の遠隔制御を行う第２ステップと、を含むことを特徴とする防煙区画構造の制御方法。
【発明の詳細な説明】
【０００１】
【産業上の利用分野】
本発明は、防煙区画構造及びその制御方法に関し、詳しくは、室内の天井面から下方に突出した壁、いわゆる「垂れ壁」によって同室内をいくつかの区画に仕切ることにより、火災が発生した場合の煙の拡散を防止し又は遅らせる防煙区画構造及びその制御方法に関する。
【０００２】
【従来の技術】
例えば、百貨店の売り場のような広い室内で火災が発生した場合、火災に伴う煙が天井を伝って一気に室内全体に広がり、天井灯などの光量を著しく低下させて視界を悪くする結果、出入り口を見えにくくして避難誘導に支障をきたしたり、場合によってはパニックを引き起こしたりすることがあるので安全上の見地から何らかの対策が必要である。
【０００３】
そこで、延べ床面積が５００平方メートルを越える建築物については、法令により、５００平方メートル以内ごとに不燃物で作られた「防煙壁」で区画することが規定されている。ここに、防煙壁とは、▲１▼天井面から床面まで連続する間仕切り壁、又は、▲２▼天井面から下方に所定長突出した垂れ壁のことを言う。なお、法令上は、▲１▼や▲２▼と同等以上に煙の流動を妨げる効力のあるものも含まれるが、説明の簡素化のため割愛する。
【０００４】
さて、煙の拡散を完全に防ぐには、閉鎖区画に煙を閉じ込めればよく、それには▲１▼が最も効果的であるが、広い売り場を必要とする、例えば百貨店にあっては当然のことながら▲１▼は不可であり、▲２▼しか採用できない。
【０００５】
＜第１従来例＞
図１０は、垂れ壁を備えた従来の防煙区画構造を示す図である。この図において、１は床面、２は外壁、３は天井、４〜６は垂れ壁である。天井３の裏には、排煙機７と、この排煙機７を介して屋外に開放した排煙風道８とが設けられており、排煙風道８は、垂れ壁４〜６によって仕切られた複数の区画９〜１１を臨むように天井３に設けられた複数の排煙口１２〜１４に接続されている。
【０００６】
このような構造において、いま、区画１０で火災が発生したとすると、火点１５からの煙１６は天井３に向かって立ち上り、垂れ壁５、６で仕切られた区画に充満するが、煙１６の層厚が垂れ壁５、６の高さ（規定では５０ｃｍ以上）を越えない限り、隣の区画９、１１に拡散しない。そして、この状態で、区画１０の排煙口１３を、手動又は遠隔制御若しくは火災報知器（図示略）と連動で開放するとともに、排煙機７を起動すれば、充満した煙１６を排煙風道８から屋外へと速やかに排出でき、煙１６の拡散を防止又は遅らせて避難誘導の時間的余裕を確保することができる。
【０００７】
ところで、上記垂れ壁４〜６の「高さ」は、従来より、法令上の規定を満たし、材料費を節約し、かつ、室内の装飾性を損なわないといった観点から決定されており、ほとんどの場合、規定ぎりぎりの数値（５０ｃｍ）で統一的に設計されていたため、排煙能力を上回る大量の煙が発生した場合に、以下に述べるような避難誘導上の問題点を内在していた。
【０００８】
図１１は従来の防煙区画構造を示す平面図であり、２０は外壁、２１〜２７は垂れ壁、２８は出入り口、２９〜３４は垂れ壁２１〜２７によって仕切られた区画である。この図において、垂れ壁２１〜２７の上に記載された×印は、これらの垂れ壁２１〜２７の高さが同一（例えば５０ｃｍ）であることを示している。
【０００９】
いま、図１２（ａ）に示すように区画３１で火災が発生して排煙能力を上回る大量の煙が発生した場合を考える。３５は火点である。
火点３５から立ち上った煙は区画３１の天井面に充満し、その煙の層厚が５０ｃｍを越えると、区画３１の周囲の垂れ壁２２、２４、２５を乗り越えて隣接の区画２９、３２、３３に拡散（図１２（ｂ）参照）する。さらに、区画２９、３２、３３の煙の層厚が５０ｃｍを越えると、垂れ壁２１、２３、２６、２７を乗り越えて、残りの区画３０、３４にも拡散（図１２（ｃ）参照）し、最終的に建物全体に煙が充満することになる。
【００１０】
図示の区画２９〜３４のうち、避難誘導上もっとも重要な区画は、出入り口２８に面した区画３４であり、十分な時間的余裕を持って避難するには、この区画３４への煙の侵入をできるだけ遅くしなければならないものの、図示の例では、図１２（ａ）〜図１２（ｃ）の三つのステップで煙が侵入するため、必ずしも、こうした要求に応えていないという不都合がある。
また、図示の例では、周りを煙で取り囲まれた区画３０（図１２（ｃ）参照）が発生するという不都合もある。もし、この区画３０に人がいる場合、その人が自ら退路を確保するには煙の充満した隣の区画３２を突っ切らなければならないが、煙で視界が利かない以上、かかる冒険的脱出は相当困難である。
【００１１】
したがって、上記従来の防煙区画構造にあっては、火災初期の段階で避難誘導上もっとも重要な区画３４に煙が侵入するうえ、出火場所によっては煙で取り囲まれた閉鎖的な区画３０が発生するから、防災上、早急に解決すべき問題点を内在している。
【００１２】
＜第２従来例＞
そこで、本件出願人は、図１３に示すように、天井面から下方に突出した垂れ壁４１〜４７によって仕切られた各区画４８〜５３のうち避難誘導上もっとも重要な区画（例えば、出入り口に面した区画５３）を仕切る垂れ壁４６、４７の突出量を最大（Ｈ３）にするとともに、該重要な区画から避難経路の動線に沿って遠ざかるにつれて区画を仕切る垂れ壁の突出量を順次に減少（Ｈ２＞Ｈ１）させるようにした「防煙区画構造」を既に提案している（特願平１０−２７０１６号／平成１０年２月９日）。
【００１３】
これによれば、避難誘導上もっとも重要な区画への煙の侵入を遅らせて煙の濃度を低目にコントロールするとともに、出火場所によっても煙で取り囲まれた閉鎖的な区画が発生しないようにすることができる。
【００１４】
【発明が解決しようとする課題】
しかしながら、上記第２従来例の技術にあっては、各区画の垂れ壁の突出量が固定値であったため、あらかじめ設定した特定の区画からの出火にしか上記効果を期待できず、様々な区画からの出火に適応的に対処できないという点で改良の余地があった。
【００１５】
そこで、本発明は、垂れ壁の突出量と出火区画との関係を自在に設定でき、以って様々な区画からの出火に適応的に対処できるようにした防煙区画構造の提供を目的とする
【００１６】
【課題を解決するための手段】
請求項１記載の防煙区画構造は、室内を、該室内の天井面から下方に突出した複数の垂れ壁によっていくつかの区画に仕切るようにした防煙区画構造において、前記垂れ壁の突出量を変更する変更手段と、前記複数の垂れ壁のうち、１つの垂れ壁の突出量が他の垂れ壁の少なくとも１つの垂れ壁の突出量と異なるようにした、前記複数の垂れ壁のそれぞれの突出状態の組み合わせと、出火区画との関係をあらかじめ設定する設定手段と、前記設定手段により設定された関係に応じて実際の出火区画に対応した垂れ壁の突出量の遠隔制御を行なう制御手段と、を備えたことを特徴とする。
請求項２記載の防煙区画構造の制御方法は、突出量可変の複数の垂れ壁の制御方法であって、前記複数の垂れ壁のうち、１つの垂れ壁の突出量が他の垂れ壁の少なくとも１つの垂れ壁の突出量と異なるようにした、前記複数の垂れ壁のそれぞれの突出状態の組み合わせと、出火区画との関係をあらかじめ設定する第１ステップと、
前記第１ステップにより設定された関係に応じて実際の出火区画に対応した垂れ壁の突出量の遠隔制御を行う第２ステップと、を含むことを特徴とする。
【００１７】
【発明の実施の形態】
以下、本発明の実施の形態を、図面を参照しながら説明する。
図１において、Ｓ１〜Ｓｍはそれぞれ煙感知器、６０は制御部（変更手段、設定手段、制御手段）、Ａ１〜Ａｎは垂れ壁の突出量を変更するアクチュエータ（変更手段）である。ここに、制御部６０は、消防設備の呼び方に従えば「受信機」に相当するものであるが、その本質的な機能は図示の「テーブル設定プログラム６１」と「防煙壁制御プログラム６２」を実行して垂れ壁の突出量と出火区画との関係を自在に設定し、且つ、その設定結果を利用して様々な区画からの出火に適応的に対処できるようにする点にあり、この点において、汎用のパーソナルコンピュータシステムの使用が可能であるから、以下、便宜的に同システムで説明することにするものの、これに限定されないことは言うまでもない。
【００１８】
図２は、本実施の形態の垂れ壁６３を示す図である。この垂れ壁６３は、少なくとも法令で規定された高さＨ１を有する固定壁６３ａと、通常は固定壁６３ａに沿って取り付けられているが、アクチュエータＡｉ(ｉは１〜ｎ；以下同様）の作動に伴って自重で落下する自由壁６３ｂとを備え、自由壁６３ｂの落下によって垂れ壁６３の突出量をＨ１からＨ２へと実質的に増大する仕組みになっている。
【００１９】
なお、垂れ壁６３の構造はこれに限定されない。要は、制御信号ＰＷＲによってその実質的な突出量を増大方向に変更（Ｈ１→Ｈ２）できるものであればよく、例えば、図３に示すように、固定壁６４ａの一端に開閉機構６４ｂで取り付けられた自由壁６４ｃを備え、アクチュエータＡｉの作動に伴って自由壁６４ｃを開くようにしたり、又は、図４に示すように、折畳式の垂れ壁６５ａをワイヤ６５ｂで巻き取っておき、アクチュエータＡｉの作動に伴ってワイヤー６５ｂを開放し、垂れ壁６５ａを自重で落下させてもよい。
【００２０】
１．テーブル設定プログラム６１の説明
テーブル設定プログラム６１は、システムの導入時や対象建築物の区画変更時等において適宜に実行されるもので、このプログラムを実行すると、図５に示すようなユーザインターフェース（ＧＵＩ）オブジェクトをディスプレイ上に表示する。
【００２１】
このオブジェクトは、「出火区画を指定してください」というコメントメッセージを持つテキストコントロール７０と、対象建築物の区画レイアウトをデザインしたグラフィックコントロール７１と、各区画Ｅ１〜Ｅ６の上に設けられた透明なボタンコントロール７２〜７７と、設定内容を了解するボタンコントロール７８と、設定内容をキャンセルするボタンコントロール７９とを含み、各ボタンコントロールのクリックイベントに所要のプロシージャが設定されている。
【００２２】
例えば、各区画Ｅ１〜Ｅ６の上に設けられたボタンコントロール７２〜７７には、ボタンコントロールのクリックに応答してその区画を反転表示するとともに、その区画の番号を取得するプロシージャが設定されており、また、設定内容を了解するボタンコントロー７８には反転表示中の区画を「出火区画」に設定して、次のＧＵＩオブジェクト表示に移行するプロシージャが設定されている。
【００２３】
図６は、そのＧＵＩオブジェクト表示である。このオブジェクトは、「突出量を大にする垂れ壁を指定してください」というコメントメッセージを持つテキストコントロール８０と、対象建築物の区画レイアウトをデザインしたグラフィックコントロール８１と、各区画Ｅ１〜Ｅ６を仕切る垂れ壁Ｂ１〜Ｂ７の上に設けられたボタンコントロール８２〜８８と、出火区画を示すイメージコントロール８９と、設定内容を了解するボタンコントロール９０と、設定内容をキャンセルするボタンコントロール９１とを含み、各ボタンコントロールのクリックイベントに所要のプロシージャが設定されている。
【００２４】
例えば、各垂れ壁Ｂ１〜Ｂ７の上に設けられたボタンコントロール８２〜８８には、ボタンコントロールのクリックに応答してその位置の垂れ壁とボタンコントロールを反転表示するとともに、その垂れ壁の番号を取得するプロシージャが設定されており、また、設定内容を了解するボタンコントロール９０には反転表示中の垂れ壁を「突出量を大にする垂れ壁」に設定して、以下の煙拡散シミュレーション表示を行うプロシージャが設定されている。
【００２５】
図７は、煙拡散シミュレーションの表示例であり、塗りつぶされたボタンコントロールの位置にある垂れ壁８４、８５、８６が「突出量を大にする垂れ壁」に設定されたものである。この表示例において、垂れ壁８４、８５、８６の突出量はＨ２であり、それ以外の垂れ壁の突出量はＨ１である。Ｈ２とＨ１の関係は既述のとおりＨ２＞Ｈ１であるので、区画Ｅ６を出火区画とすると、この区画で発生した煙は、最初に区画Ｅ６を充たし、その煙の厚さがＨ１を越えた段階で区画Ｅ４とＥ５に拡散することになるが、この段階の煙の厚さは区画Ｅ６＞区画Ｅ４（又は区画Ｅ６＞Ｅ５）であるから、図示のように、区画Ｅ６をクロスハッチングで表示し、区画Ｅ４とＥ５をシングルハッチングで表示すれば、その段階の煙の厚さを視覚的に表現することができる。
したがって、出火区画に応じてどの垂れ壁の突出量を大きくすればよいかが直感的に把握できるので、特別な訓練を受けない素人であっても垂れ壁の突出量と出火区画との関係を自在に設定することができる。
【００２６】
図８は、上記プログラムを用いて設定した、垂れ壁の突出量と出火区画との関係テーブルを示す図である。なお、言うまでもなく、同関係は対象となる建築物の構造やその使用目的、非難口の位置などによって様々に変化し得るから、図示のテーブルは一応の便宜例を示しているに過ぎない。
【００２７】
このテーブルにおいて、Ｓ１〜Ｓ１８はそれぞれ煙感知器の番号、Ｅ１〜Ｅ６は区画の番号、Ｂ１〜Ｂ７は垂れ壁の番号である。なお、煙感知器は区画ごとに３個ずつ設けられているものとする。
【００２８】
２．防煙壁制御プログラム６２の説明
このプログラムは、火災感知期間中常に実行されるものである。図９は、防煙壁制御プログラムのフローチャートであり、全ての煙感知器からの信号をモニタし（ＳＴＥＰ１）、何れかの煙感知器からの信号を受信すると、その煙感知器の番号を用いて図８のテーブルを検索し、出火区画の番号と、突出量を大とする垂れ壁の番号を抽出する（ＳＴＥＰ２）。今、便宜的に煙感知器の番号をＳ１とすると、図８のテーブルより、区画番号Ｅ１、垂れ壁番号Ｂ３、Ｂ４、Ｂ５を抽出する。そして、その垂れ壁番号Ｂ３、Ｂ４、Ｂ５に取り付けられているアクチュエータＡｉに対して作動信号を出力し（ＳＴＥＰ３）、垂れ壁作動信号（垂れ壁の突出量が大になったことを示す信号；例えば、垂れ壁に取り付けられたマイクロスイッチの信号など）を受信し（ＳＴＥＰ４）、その信号を用いて垂れ壁の作動状況をディスプレイに表示する（ＳＴＥＰ５）という一例の制御を行う。なお、垂れ壁の作動状況は、図７のシュミレーション表示を利用して行うことができる。
【００２９】
以上のとおり、本実施の形態によれば、（１）垂れ壁の突出量を遠隔制御できるようにし、且つ、（２）突出量を大にする垂れ壁と出火区画との関係を自在に設定できるようにするとともに、（３）同設定値に応じて実際の出火区画と垂れ壁の突出量の遠隔制御を行うようにしたから、本件出願人が先に提案した技術（第２従来例）の欠点を補って、様々な区画からの出火に適応的に対処することができる。したがって、より現実に即した柔軟性のある防煙区画構造を提供することができ、実用上きわめて有益で使い勝手のよい防災技術を実現することができる。
【００３０】
なお、本発明の実施の形態は、上記例示のものに限定されない。例えば、垂れ壁の突出量を２段以上に多段化したり、または、無段階に変化するようにしてもよく、あるいは、垂れ壁の初期状態の高さＨ１も５０ｃｍ以外（法令を無視すれば０ｃｍにしたり５０ｃｍ以下にすることも可能）にしてもよい。
【００３１】
また、垂れ壁の突出量と出火区画との関係を設定するに際して考慮すべき事項は、人員の避難誘導であっても煙の誘導（出火点から排煙口への誘導）であっても構わない。何れを考慮するかはもっぱら対象建築物の構造や用途から自ずと決まる。
【００３２】
【発明の効果】
本発明によれば、前記複数の垂れ壁のうち、１つの垂れ壁の突出量が他の垂れ壁の少なくとも１つの垂れ壁の突出量と異なるようにした、前記複数の垂れ壁のそれぞれの突出状態の組み合わせと、出火区画との関係をあらかじめ設定するとともに、その関係に応じて実際の出火区画に対応した垂れ壁の突出量の遠隔制御を行うので、様々な区画からの出火に適応的に対処することができ、より現実に即した柔軟性のある防煙区画構造を提供して、実用上きわめて有益で使い勝手のよい防災技術を実現することができる。
【図面の簡単な説明】
【図１】システム構成図である。
【図２】垂れ壁の構造図（その１）である。
【図３】垂れ壁の構造図（その２）である。
【図４】垂れ壁の構造図（その３）である。
【図５】テーブル設定プログラムの画面表示図（その１）である。
【図６】テーブル設定プログラムの画面表示図（その２）である。
【図７】テーブル設定プログラムの画面表示図（その３）である。
【図８】テーブル構造図である。
【図９】防煙壁制御プログラムのフローチャートである。
【図１０】第１従来例の構造図である。
【図１１】第１従来例の平面図である。
【図１２】第１従来例の煙の拡散状態図である。
【図１３】第２従来例の平面図及びＡ−Ａ矢視断面図である。
【符号の説明】
Ｅ１〜Ｅ６          区画
Ａｉ               アクチュエータ（変更手段）
６０              制御部（設定手段、制御手段）
６３              垂れ壁
【図１】
0004066398.tif 000002
【図２】
0004066398.tif 000003
【図３】
0004066398.tif 000004
【図４】
0004066398.tif 000005
【図５】
0004066398.tif 000006
【図６】
0004066398.tif 000007
【図７】
0004066398.tif 000008
【図８】
0004066398.tif 000009
【図９】
0004066398.tif 000010
【図１０】
0004066398.tif 000011
【図１１】
0004066398.tif 000012
【図１２】
0004066398.tif 000013
【図１３】
0004066398.tif 000014